Podtech/llm-jp-corpus-v4-ja_patent huggingface dataset:
(57)【要約】【課題】熱を出す時に使い易いように、下着の大動脈の通る所（脇部と大腿部付け根部）にポケットを設け、ポケットにいつでも交換できる保冷剤（或は氷）を入れる、物理的迅速な降温下着を提供する。【解決手段】下着の脇部分（１）と大腿部の付け根部分（２）にポケット（３）を設け、ポケット（３）に保冷剤（或は氷）を入れる、保冷剤（或は氷）つき熱冷まし下着を特徴とする。【選択図】図２
2014046181.tif 000002
【特許請求の範囲】
【請求項１】
下着の脇部分（１）と大腿部の付け根部分（２）にポケット（３）を設け。ポケット（３）に保冷剤或は氷（４）を入れる熱冷まし下着。
【発明の詳細な説明】
【技術分野】
【０００１】この発明は、下着の脇部分と大腿部付け根部にポケットを設けて、内に保冷剤（或いは氷）を入れ、熱を冷ますものである。
【背景技術】
【０００２】従来、熱冷ましと下着は別々になっていた。
【先行技術文献】
【０００３】
【特許文献１】
【発明の概要】
【発明が解決しようとする課題】
【０００４】これは、次のような欠点があった。
従来、熱冷ましは人が動くと簡単に人体から外れるので、冷却しずらい事が多かった。
本発明は、以上のような欠点をなくすためになされたものである。
【課題を解決するための手段】
【０００５】下着の脇部分（１）とパンツの大腿部の付け根（２）にポケット（３）を設け、ポケット（３）に保冷剤（或いは氷）（４）を入れる。
本発明は、以上の構成よりなる熱冷まし肌着である。
【発明の効果】
【０００６】▲１▼寝ている間、動いても外れないので、とても便利。
▲２▼子供にも嫌がられないので、使いやすい。
▲３▼物理的な冷却方法であるので、体に優しい。
▲４▼暑さを避けることもできるので、熱中症にも効果あり。
【図面の簡単な説明】
【０００７】
【図１】本発明の０〜３歳位の子供のおむつ用下着平面図である。
【図２】本発明の４歳〜大人までの下着平面図である。
【発明を実施するための形態】
【０００８】以下、本発明を実施するための形態について説明する。
下着の脇部分（１）に下着の大腿部付け根部（２）にポケット（３）を設ける。
ポケット（３）に保冷剤（４）を入れる。
本発明は、以上のような構造である。
下着と一体になった熱冷ましの為、脇部と大腿付け根部から動いても外れず、冷却効果も高い。
【符号の説明】
【０００９】１  脇部分
２  大腿部付け根部分
３  ポケット
４  保冷剤
【図１】
2014046181.tif 000003
【図２】
2014046181.tif 000004
(57)【要約】      （修正有）【課題】深呼吸を容易に気持ちよく楽しく、より効果的に行えるように工夫した、深呼吸器を提供する。【解決手段】円錐台状の有色透明な空気取り入れ口（１）の底部に、取っ手（２）が空気取り入れ口（１）の両方向のどちらからでも接続可能な取っ手接続用パイプ（４）を設け、取っ手（２）の一端に取っ手（２）が鼻の周囲の顔面に密着するように鼻当て部（３）を設け、鼻当て部（３）の下側の取っ手（２）にフック（５）を設け、吹き戻し（８）の吹き口（６）の一部に吹き口（６）と吹き戻し（８）の方向を調整できるジャバラ（７）を設け、ジャバラ（７）の中央部をフック（５）に掛けて固定したことを特徴とする。【選択図】図１
2014046188.tif 000002
【特許請求の範囲】
【請求項１】
空気取り入れ口（１）の底部に、取っ手（２）が空気取り入れ口（１）の両方向のどちらからでも接続可能な取っ手接続用パイプ（４）を設け、取っ手（２）の一端に鼻当て部（３）を設け、鼻当て部（３）の下側の取っ手（２）にフック（５）を設け、吹き戻し（８）の吹き口（６）の一部に方向調整のためのジャバラ（７）を設け、ジャバラ（７）をフック（５）に掛けて固定したことを特徴とする深呼吸器。
【発明の詳細な説明】
【技術分野】
【０００１】  この発明は、深呼吸を容易に、気持ち良く楽しく、より効果的に行えるように工夫した、深呼吸器に関するものである
【背景技術】
【０００２】  従来、深呼吸をするための道具は、呼吸数や呼吸量を測定して深呼吸を促すものであった。（特許文献１，特許文献２参照）
【先行技術文献】
【特許文献】
【０００３】
【特許文献１】特開２００４−３５８２００
【特許文献２】特開２００８−２２０６７４
【発明の概要】
【発明が解決しようとする課題】
【０００４】  これは、次のような欠点があった。
従来の深呼吸をするための道具は、深呼吸を促すための間接的なものや、呼吸数量に重点が置かれているものであった。
深呼吸が心身の健康に良いと分かっていても、わずらわしく、容易にできにくかった。
深呼吸は、日頃しようという意識にもなりにくく、忘れがちになるものであった。
深呼吸は、できるだけ気持ち良く楽しく、より効果的に行いたかった。
本発明は、以上のような欠点をなくすためになされたものである。
【課題を解決するための手段】
【０００５】  空気取り入れ口（１）の底部に、取っ手（２）が空気取り入れ口（１）の両方向のどちらからでも接続可能な取っ手接続用パイプ（４）を設け、取っ手（２）の一端に鼻当て部（３）を設け、鼻当て部（３）の下側の取っ手（２）にフック（５）を設け、吹き戻し（８）の吹き口（６）の一部に方向調整のためのジャバラ（７）を設け、ジャバラ（７）をフック（５）に掛けて固定したことを特徴とする。
本発明は、以上の構成よりなる深呼吸器である。
【発明の効果】
【０００６】  深呼吸をするときのわずらわしさが少なく、深呼吸が容易に気持ち良く楽しくできる。
本深呼吸器があると、深呼吸という意識が喚起されやすく、深呼吸をする機会が増える。
本深呼吸器での深呼吸は、単なる深呼吸の効果だけでなく視覚刺激、臭覚刺激、筋肉刺激などが加わってイメージも描きやすくなり、楽しく気持ちよくできる。
意識やイメージが心身に影響を与えることは明らかであり、本心呼吸器による深呼吸は心身の健康にとってより効果的である。
【図面の簡単な説明】
【０００７】
【図１】本発明の斜視図である。
【図２】本発明の側面からの一部断面図である。
【図３】本発明の一方からの正面図である。
【図４】本発明の他方からの正面図である。
【発明を実施するための形態】
【０００８】  以下、本発明を実施するための形態について説明する。
円錐台状の有色透明な空気取り入れ口（１）の底部に、取っ手（２）が空気取り入れ口（１）の両方向のどちらからでも接続可能な取っ手接続用パイプ（４）を設ける。
取っ手（２）の一端に鼻当て部（３）を設ける。
鼻当て部（３）の下側の取っ手（２）にフック（５）を設ける。
吹き戻し（８）の吹き口（６）の一部に方向調整のためのジャバラ（７）を設け、ジャバラ（７）の中央部をフック（５）に掛けて固定する。
本発明は、以上のような構造である。
本発明を使用するときは、空気取り入れ口（１）が好みの方向になるように、取っ手（２）を取っ手接続用パイプ（４）に接続する。
取っ手（２）を手で握り、鼻当て部（３）が鼻の周囲の顔面に密着するように当て、吹き口（６）を口に咥え、姿勢を正して、口から静かに息を吐き切ってから鼻から静かに深く吸い込む。
これを何回か繰り返す。
鼻当て部の反り返りを利用して耳掛けバンドや頭掛けバンドを取り付け、手を使わずに耳や頭に固定して使用してもよい。
空気取り入れ口（１）の向きを外側に向ければ、自然エネルギーを吸い込んでいるイメージが描きやすく、空気取り入れ口（１）の向きを内側に向ければ、自然エネルギーを浴びているイメージが描きやすい。
空気取り入れ口（１）の色は、ピンク色透明・緑色透明・青色透明・黄色透明など、色彩効果と視野を考慮したものにする。
全体の色を同色系で統一すれば、望むイメージがより描きやすい。
吹き口（６）の形状を変えたり、吹き戻し（８）の長さや径を変えたり、目盛りを付けたりすることで、身体への負荷や吐く息の長短、強弱を調整する。
また、空気取り入れ口（１）と取っ手（２）だけでも効果的な深呼吸ができる。
空気取り入れ口（１）に文字や絵を描いてイメージを強化することもできる。
空気取り入れ口（１）側の取っ手（２）の先端にフィルターを装着して使用してもよい。
フィルターを空気清浄フィルターにすれば、きれいな空気で深呼吸ができ、フィルターにハーブやフルーツなど好みの香りを添加すれば臭覚を刺激することもできる。
フィルター機能だけが欲しいときには、取っ手にフィルターを装着して、取っ手だけでも使用できる。
息を吐くときに、声を発しながら行えば、聴覚を刺激することもできる。
深呼吸と共に視覚・臭覚・聴覚・触覚などの感覚を動員することができる。
空気取り入れ口の方向・吹き口の形状・吹き戻しの長さと径・装着方法・色・香り・声を発する時のことば・描く文字や絵、それらの組合せは、その時の気分、好み、期待する効果に合わせて調整し、使い分ける。
【符号の説明】
【０００９】      １  空気取り入れ口
２  取っ手
３  鼻当て部
４  取っ手接続用パイプ
５  フック
６  吹き口
７  ジャバラ
８  吹き戻し
【図１】
2014046188.tif 000003
【図２】
2014046188.tif 000004
【図３】
2014046188.tif 000005
【図４】
2014046188.tif 000006
(57)【要約】【課題】賃貸マンションやアパートなどの壁や窓枠にきずをつけられない部屋の窓枠に誰でも挟むだけで簡単に取り付けられるクリップの形をしたふさかけを提供する。【解決手段】ふさかけをクリップと一体化させて、クリップの指でつまむ部分をふさかけの形状にしてタッセルを引っ掛けられるようにするというところを特徴とする。【選択図】図１
2014046182.tif 000002
【特許請求の範囲】
【請求項１】
ふさかけをクリップと一体化させたクリップ型ふさかけ
【発明の詳細な説明】
【技術分野】
【０００１】この発明はクリップにふさかけを一体化させたふさかけに関するものである。【０００２】ふさかけとはカーテンを束ねる際に用いるタッセルを引っ掛けるフックのことで、従来のものは壁や窓枠にビスや両面テープなどで取り付けされてるものであった。
【先行技術文献】
【０００３】
【特許文献１】
【非特許文献１】
【発明の概要】
【発明が解決しようとする課題】
【０００４】これは次のような欠点があった。
従来、ふさかけとは壁や窓枠にビスや両面テープで取り付けするタイプのものしかなかったため賃貸マンションやアパートなどには取り付けできないケースが多かった。
（壁や窓枠にビスや両面テープのあとが残ってしまうため。）
本発明は以上のような欠点を解決するために考えられたものである。
【課題を解決するための手段】
【０００５】クリップにふさかけを一体化させる。
本発明は以上の構成よりなるクリップ型のふさかけである。
【発明の効果】
【０００６】ふさかけがクリップと一体化されているのでクリップの部分で窓枠を挟み込むだけで取り付けが完了するため、従来のもの（ビス留めタイプや両面テープ留めタイプ）よりも簡単に取り付けでき、しかも取り外しも自由自在である。取り外し後も壁や窓枠にはあとが残らないため、賃貸マンションやアパートなどにも安心して使用できる。
【図面の簡単な説明】
【０００７】
【図１】  本発明の斜視図である。
【図２】  本発明の側面図である。
【図３】  本発明の正面図である。
【発明を実施するための形態】
【０００８】以下、本発明を実施するための形態について説明する。
これは、クリップのつまむ部分をふさかけの形状に成型したものである。
本発明は以上のような構造である。したがって窓枠を挟み込むだけで取り付けでき、取り外しも簡単なため壁や窓枠にビスや両面テープのあとが残る心配がない。
【符号の説明】
【０００９】１      ふさかけのフック部分
２      クリップのつまむ部分（力点）
３      クリップのはさむ部分（作用点）クリップのつまむ部分（力点）
４      クリップの支点
【図１】
2014046182.tif 000003
【図２】
2014046182.tif 000004
【図３】
2014046182.tif 000005
(57)【要約】【課題】本発明は、既存の孫の手に工夫を加えて軟膏溜まり部を設けて、背中の目的部に軟膏を塗布する孫の手軟膏塗り具を提供する。【解決手段】孫の手の甲の部分に軟膏を溜め置くように加工した凹部を設けて、孫の手を使う要領で背中に軟膏を塗り込むようにする。【選択図】図２
2014046190.tif 000002
【特許請求の範囲】
【請求項１】
孫の手のような握り部を有する柄の先端部に、軟膏を留め置くように加工した凹部を設けて、孫の手を使う要領で背中に軟膏を塗り込むことを特徴とした、軟膏塗り具。
【発明の詳細な説明】
【技術の分野】
【００１】  本発明は、既存の孫の手に工夫を加えて軟膏溜まり部を設けて、孫の手を使う要領で、背中の目的部に軟膏を塗布する、軟膏塗布具に関するものである。
【背景技術】
【００２】  従来、背中に軟膏を塗るときは、人の手を借りねばならなかったが、この具は、自分で、しかも下着を着たままでも孫の手を使う要領で塗ることができる。
【発明の開示】
【発明が解決しようとする課題】
【００３】  そのために、次のような問題点があった。
背中を出し、人の手を借りて塗らねばならなかった。
本発明は以上の問題点を解決しようとするものである。
【課題を解決するための手段】
【００４】  孫の手の甲の部分に軟膏を溜め置くための凹部を設けて、そこに適量の軟膏を溜め、軟膏の付いた面を背中の面に向き合わせて、孫の手を使う要領で目的の位置にあてる。
軟膏の部分を強く押しつけて上下に軟膏を塗りひろげる。
【発明の効果】
【００５】  本発明は、人の手を借りることなく必要と思う時に、目的の位置に安易に軟膏を塗布できるので、従来の孫の手に別の効果が生まれる。
【発明を実施するための最良の形態】
【００６】  以下、本発明の実施の形態を説明する。
（イ）図１は孫の手の全体斜視図である。
（ロ）孫の手の甲（こう）（１）の面に円形の凹型の窪み（２）を設けて（図２）窪みの周囲をなだらかに加工して軟膏が効率よく塗布できるように丸身を設ける。（図４）
（ハ）凹型の窪みは、円形のほかに（図３）の溝状にしても同様である。
本発明は以上の形態にする。
本発明を使用する場合は、軟膏をこの窪みに溜める、その量は周囲の面より溢れ出ないように整えることで軟膏が必要な位置に効率よく塗布できる。
孫の手を使用する要領でその甲の面を背中の面に合わせ、目的の位置にあてがいこの柄の先端部を背中の面に強く押すことで、軟膏を溜めた凹部に背中の面が入り込み、そのまま柄を上下に動かして面に軟膏を塗布する。（図面５）
この孫の手を軟膏塗布に使用した後は、水洗いして清潔を保つことができる。
【図面の簡単な説明】
【００７】
【図１】本発明の全体斜視図
【図２】本発明の部分斜視図
【図３】本発明の部分斜視図
【図４】本発明の部分断面図
【図５】本発明の塗布状況の断面図
【符号の説明】
【００８】（１）  孫の手の甲（こう）
（２）  凹部
（３）  孫の手
（４）  背中
【図１】
2014046190.tif 000003
【図２】
2014046190.tif 000004
【図３】
2014046190.tif 000005
【図４】
2014046190.tif 000006
【図５】
2014046190.tif 000007
(57)【要約】      （修正有）【課題】手桶を固定することができ、さらに固定した手桶に風呂桶を裏返して重ねることができる筒穴付き風呂椅子を提供する。【解決手段】風呂椅子１の腰掛ける平らな部分の中央に筒状の穴２を斜めに設けることにより、この穴２に手桶３の把手を差し込み、手桶３の上に風呂桶４を裏返しにして重ねることができるようにした。【選択図】図１
2014046192.tif 000002
【特許請求の範囲】
【請求項１】
風呂椅子に腰掛ける平らな部分の中央に筒状の穴を斜めに設けたことを特徴とする筒穴付き風呂椅子。
【発明の詳細な説明】
【技術分野】
【０００１】  本発明は、風呂椅子に腰掛ける平らな部分の中央に筒状の穴を斜めに設けた風呂椅子に関するものである。
【背景技術】
【０００２】  従来、風呂椅子に水抜き穴を設置した風呂椅子があった。
【先行技術文献】
【特許文献】
【０００３】
【特許文献１】特許開２００７−１３０２０１号公報
【特許文献２】特許開２００４−４９８４９号公報
【非特許文献】
【０００４】
【非特許文献１】特許開２００４−４９８４２号公報
【発明の概要】
【発明が解決しようとする課題】
【０００５】  従来の風呂椅子は、次のような問題点があった。
（イ）従来の風呂椅子に手桶の把手を差し込み、手桶を固定することができなかった。
（ロ）風呂椅子に手桶の把手を差し込み、手桶を固定し、固定した手桶に風呂桶を裏返しにして、風呂桶を重ねることはできなかった。
本発明は、これらの問題を解決するためになされたものである。
【課題を解決するための手段】
【０００６】  風呂椅子に腰掛ける平らな部分の中央に筒状の穴を斜めに設けこの穴に手桶の把手を差し込み、手桶の上に風呂桶を裏返しにして重ねることができる。
以上を特徴とする風呂椅子である。
【発明の効果】
【０００７】  風呂椅子に腰掛ける平らな部分の中央に筒状の穴を斜めに設けたこの穴に手桶の把手を差し込み、手桶の上に風呂桶を裏返しにして重ねることで、風呂椅子と手桶と風呂桶の３点セットが風呂場の片隅にかたづけられる。
手桶及び風呂桶を逆さにすることで、風呂桶の底についていたヌメリや手桶についていたヌメリが乾きとても清潔になる。以上を特徴とする風呂椅子である。
【図面の簡単な説明】
【０００８】
【図１】「本発明の風呂椅子と手桶及び風呂桶を重ねた斜視図である。」のように記載します。
【図２】「本発明の風呂椅子に手桶を差し込んだ斜視図である。」のように記載します。
【図３】「本発明の風呂椅子に中央部の穴の斜視図である。」のように記載します。
【図４】「本発明の風呂椅子に筒穴斜めの断面図である。」のように記載します。
【発明を実施するための形態】
【０００９】  以下、本発明の実施の形態について説明する。
（イ）図３のように風呂椅子（１）に腰掛ける平らな部分の中央に穴（２）を設け、図４のように筒状の穴（２）は斜めに設けた。図２のように風呂椅子（１）に腰掛ける平らな部分の中央の穴（２）に手桶（３）の把手を差し込み、図１のように手桶（３）の上に風呂桶（４）を裏返しにして重ねることができる。
【実施例】
【００１０】（イ）風呂椅子に腰掛ける平らな部分の中央に筒状の穴を設け、筒状の穴は斜めに設けた穴に手桶の把手を差し込み、手桶の上に風呂桶を裏返しにして重ねることで、風呂椅子と手桶と風呂桶の３点セットが風呂場の片隅にかたづけられる。
【符号の説明】
【００１１】１  風呂椅子
２  風呂椅子の筒状の穴斜め
３  手桶
４  風呂桶
【図１】
2014046192.tif 000003
【図２】
2014046192.tif 000004
【図３】
2014046192.tif 000005
【図４】
2014046192.tif 000006
(57)【要約】【課題】  本発明は浴室や体を洗う場所で使用するシャワーカーテンである。シャワー水の水流で起こる風の流れで、カーテンが身体に張り付くことを防ぐカーテンを提供する。【手段】  シャワーカーテン地に無数の凸面体を設ける。  凸面体の下端は鋭角に設ける。【選択図】図２
2014046191.tif 000002
【特許請求の範囲】
【請求項１】
カーテン地になる樹脂製のシートに無数の凸面体を有するカーテン地。
【請求項２】
凸面体の下端が鋭角に設けたれた凸面体。
【発明の詳細な説明】
【技術分野】
【０００１】本発明は浴室や体を洗う場所で使用するシャワーカーテン地に関するものである。
【背景技術】
【０００２】従来、シャワーで体を洗うとき、水滴が方々に飛び散るのでシャワーカーテンやガラススクリーンを設置して飛散を防いでいます。
【発明の開示】
【発明が解決しようとする課題】
【０００３】シャワーカーテンで水滴の飛散を防ぐとき、次のような問題点があった。
シャワー水が起こす空気の流れによりシャワーカーテンが身体に近づき体にピタピタと張り付いてきます。
本発明は以上の問題を解決し、体への張り付きを防ぐようになされたものである。
【課題を解決するための手段】
【０００４】上記の目的を達成するため、シャワーカーテン地に無数の凸面体を設ける。
凸面体の下端は鋭角に設ける。
本発明は、以上の構成よりなる身体に張り付かないシャワーカーテン地である。
【発明の効果】
【０００５】本発明を使用すると、身体に接するシャワーカーテンは凸面体の頂点で身体に接するのでシャワーカーテンが水に濡れていても身体とカーテンの間に隙間ができるので、身体に張り付くことが防げます。
凸面体の下端を鋭角にすることにより、水切れを良くすることができる。
【発明の実施すための最良の形態】
【０００６】以下、本発明の実施の形態を説明する。
（イ）柔らかい樹脂製のシート（１）に、凸面体（２）を設ける。
（ロ）凸面体（２）の下端は鋭角に設ける。
本発明は以上の構成よりなる。
本発明を使用するとき、凸面体がある面を身体側にして使用する。
【図面の簡単な説明】
【０００７】
【図１】本発明の正面図
【図２】本発明の部分拡大の正面図
【図３】本発明のＡ−Ａ線断面図
【符号の説明】
【０００８】１  シート地
２  凸面体
【図１】
2014046191.tif 000003
【図２】
2014046191.tif 000004
【図３】
2014046191.tif 000005
(57)【要約】【課題】菱の実をかざったり、つるしたり、物につける事ができるように、菱の実にひっかける物をつけた菱の実のかざりを提供する。【解決手段】菱の実（１）にひっかける物（２）を設けた菱の実のかざりを特徴とする。【選択図】図１
2014046686.tif 000002
【特許請求の範囲】
【請求項１】
菱の実（１）にひっかける物（２）を設けた菱の実のかざり。
【発明の詳細な説明】
【技術分野】
【０００１】菱の実を物にひっかける事の出来る菱の実のかざりに関するものである。
【背景技術】
【０００２】従来、菱の実とひっかける物は別々になっていた。
【先行技術文献】
【特許文献】
【０００３】
【特許文献１】
【発明の概要】
【発明が解決しようとする課題】
【０００４】これは、次のような欠点があった。
従来、菱の実を物にひっかける事ができなかった。
以上のような欠点をなくすためになされたものである。
【課題を解決するための手段】
【０００５】菱の実（１）にひっかける物（２）をつける。
以上の構成よりなる菱の実のかざりである。
【発明の効果】
【０００６】菱の実にひっかける物があるので、かざったり、物につける事ができる。
【図面の簡単な説明】
【０００７】
【図１】菱の実の刺が２個の斜視図である。
【図２】菱の実の刺が４個の斜視図である。
【発明を実施するための形態】
【０００８】  菱の実（１）に、ひっかける物（２）を設ける。
以上のような構造である。
これを使用するときは、菱の実と一体になったひっかける物を通して、かざることができる。
【符号の説明】
【０００９】１  菱の実
２  ひっかける物
【図１】
2014046686.tif 000003
【図２】
2014046686.tif 000004
(57)【要約】【課題】学校やオフィスで乾燥しがちな唇を潤す為に、手元にあって即座に使用できるように、文具と一体化させたリップクリーム付ボールペンを提供する。【解決手段】ボールペン（１）の一端にリップクリーム（２）を設け、キャップ（３）を取り付けたリップクリーム付ボールペンを特徴とする。【選択図】図１
2014046683.tif 000002
【特許請求の範囲】
【請求項１】
ボールペン（１）の上部一端とリップクリーム（２）下部一端を一体化させて、ネジ式にする等リップ取り換え（２）可能にした、リップクリーム付ボールペン（又はシャープペン）。
【発明の詳細な説明】
【発明の詳細な説明】
【技術分野】
【０００１】この発明は、ボールペンの一端にリップクリームを付けた、リップクリーム付ボールペンに関するものである。
【背景技術】
【０００２】従来、ボールペンとリップクリームは別の用途であるため、別々になっていた。
【発明が解決しようとする課題】
【０００３】これはつぎのような欠点があった。
従来、学校やオフィスなどで唇が乾燥して困ったときに限ってリップクリームを持参していなかったりしてボロボロのまま過ごすことになった。
本発明は、以上のような欠点を失くすためになされたものである。
【課題を解決するための手段】
【０００４】ボールペン（１）の一端にリップクリーム（２）を設け、キャップ（３）を設ける。
本発明は、以上の構成よりなるリップクリーム付ボールペンである。
【発明を実施するための形態】
【０００５】以下、本発明の実施の形態について説明する。
ボールペン（１）の上部一端にリップクリーム（２）の下部一端を取り付ける。この時、ネジ式にする等リップクリーム（２）は付け替え可能にする。
本発明は、以上のような構造で、これを使用するときは、唇に潤いが欲しいとき使用する。
【発明の効果】
【０００６】（イ）唇に潤いが欲しいとき、学生ならだれもが持ち歩いている筆箱や、オフィスのデスクから取り出して使用することができる。
（ロ）勉強や仕事をしながら、気になった時に手元にあるので即座に潤すことができて、探す手間も省ける。
【図面の簡単な説明】
【図１】本発明の分解斜視図である。
【図２】本発明の正面図である。
【符号の説明】１  ボールペン
２  リップクリーム
３  キャップ
【図１】
2014046683.tif 000003
【図２】
2014046683.tif 000004
(57)【要約】【課題】風量をエネルギーとすることにより経済効果と地球環境を改善することのできる風力発電電気車両を提供する。【解決手段】車両フロント部分に設置したファンにより風力で発電し化石燃料などを一切使用しないため、地球環境に優しく経済的にも負担が軽減される。従って地球環境における大気汚染も大きく改善され、輸送コストも大幅に削減できるため多大な経済効果が見込まれる。【選択図】図１
2014066251.tif 000002
【特許請求の範囲】
【請求項１】
風力でファンを回転させ、発電機にて発電をし、その電力で車両を走行させる、ＣＯ２を排出せず、電池の消費電力も気にすることなく、快適に走行する事が出来る。尚且つ風力で発電した電気を蓄電器に蓄電させ、走行後に余った電気を家庭で使用出来ると言う画期的な風力発電電気車両です。
【請求項２】
前記、風力によりファンを回転させ発電機で発電した電気で車両を走行させる事が出来る請求項１記載の風力発電電気車両。
【発明の詳細な説明】
【技術分野】
【０００１】  本発明は風力発電で車両を走行させる地球環境に適した風力発電電気車両に関する。
【背景技術】
【０００２】  一般的な車両は、ガソリン、ディーゼル、ハイブリッド、ＬＰＧ、電気等が知られているが、この方法を用いた車両は排出ガスＣＯ２などを発生させ、また燃料を補充しなければ航続距離に限りがある。同じく電気車両においても充電をしなければ航続距離に限りがあるのが普通である。【０００３】  一方ガソリン、軽油、ＬＰＧなどを使用しない車両は電気車両と太陽光発電にて走行させる方法が知られている。
【発明の概要】
【発明が解決しようとする課題】
【０００４】  しかしながら、上述した従来の車両にあっては、それぞれに化石燃料を使用すると言う問題がある、化石燃料を使用すると大量のＣＯ２を排出する事になる，ハイブリット車両においては、ＣＯ２の排出は軽減されるが決して０では無い、ソーラー発電車両はＣＯ２の排出はないが、悪天候では走行が困難である、電気車両もＣＯ２の排出が無いものの航続距離に不安が残る、大気汚染を無くし、航続距離を保つのは、困難である。
【課題を解決するための手段】
【０００５】  本発明は、このような問題を解決するためになされたもので、車両のフロント部分に、円柱型のファンを横向けに設置しファンの側面中心部分に横軸シャフトを通し内側ボデーに、ベヤリングを要したブラケットで取り付け固定する、風力でファンを回転させ横軸シャフトの両側面に発電機を備え発電させる、発電した電気は蓄電池で蓄電され必要量の電気をバッテリーに送電し、バッテリーからコンピューターコントローラーを起動させ、各電気系統を立ち上げてタイヤホイル内部に設置したインナーホイルモーターで、タイヤを回転させ車両を安全かつ安定的に航続距離を保って走行させる。
【発明の効果】
【０００６】  本発明の風力発電電気車両は、化石燃料を一切使用しない、又蓄電池の電気容量などを気にすることなく航続距離を限りなく保てる。風力発電電気車両は、燃料の負担がなく又運送用風力発電電気車両においては運送コストが大幅に削減され、経済効果は莫大なものになる。つまり、経済発展に大きく貢献できるし、京都議定書にある温室効果ガスの規制にも大きな役割を果たす。又、マイナスイオン発生装置も装備されるので、排出される空気はよりクリーンな空気になる。
【図面の簡単な説明】
【０００７】
【図１】本説明に係る風力発電電気車両の実施形態を示す平面図である。
【発明を実施するための形態】
【０００８】  本発明の実施形態について図面を参照して説明する。図１に、本発明に係る風力発電電気車両の実施形態を示す。図１において、１はファンの部分であってこのファンは風力によって回転する。１のファンは２の横軸シャフトで１のファンの両側面中心部分を横に通して３のボデー内側側面に１０のベヤリング付取付けブラケットで取り付け固定する。１のファンと２の横軸シャフトの接地面は１３のベヤリングを取付け１のファンを円滑に高速回転が出来るようにし、尚且つ耐久性を持たせる。１のファンが風力によって回転すると、４の発電機によって発電された電気が５の蓄電池に送電される。さらに、５の蓄電池に蓄電された電気は、必要量を６のバッテリーに送電する。さらに、６のバッテリーから７のコンピューターコントローラーが、図示しない電気系統を起動させホイルに内蔵した８のインナーホイルモーターをコントロールしながら回転させ、同時に９のタイヤも回転させ、安全かつ安定的に航続距離を保ちながら走行させる。１のファンを１１のラッパ型風洞で上下左右をカバーし、前方は大きく開口し通風口を設ける。１のファンを回転させた空気は１１のラッパ型風洞フロント部の通風口を通り、図示しない車輌シャーシ底部をフロント部分から後方部に設置した１１のラッパ型風洞を通り抜けスムーズに排気される。又、１１のラッパ型風洞の後部排出口部分に、１２のマイナスイオン発生装置を装備し発生されたマイナスイオンが空気と共に同時に排出する。この事により排出された空気がよりクリーンな空気となり排出される。
【符号の説明】
【０００９】１ファン
２横軸シャフト
３内側ボデー
４発電機
５蓄電池
６バッテリー
７コンピューターコントローラー
８インナーホイルモーター
９タイヤ
１０ベヤリング付取付けブラケット
１１ラッパ型風洞
１２マイナスイオン発生装置
１３ベヤリング
【図１】
2014066251.tif 000003
(57)【要約】      （修正有）【課題】本体部分が中空の塩ビ製よりなり、その中空部分と全く同じ寸法の木製の面木がその中空部分に差し込まれている形状の木芯面木の釘の打ち込み面である４５°の傾斜面の任意の場所に釘の打ち込みが可能な面木を提供する。【解決手段】面木は、釘の打ち込み面である４５°の傾斜がついている面の長手方向の全長に渡って釘先が斜面を滑るのを止めるための浅い筋状の切り込み線３を入れ、それに釘先を引っ掛けて釘を打ち込む。【選択図】図２
2014066125.tif 000002
【特許請求の範囲】
【請求項１】
型枠上の面木を取り付ける位置に墨を打ち、その墨にそって本体部分が中空の塩ビよりなり、その中空の部分と同寸法の木材を中空部分に差し込んだ形状の木芯面木の釘の打ち込み面である４５°の傾斜角がついている面の長手方向の全長に渡って釘先の滑りを止めるための浅い切り込み線を入れ、その切り込み線に釘先を当てることにより釘先を引っかけて釘先の滑りを止め釘を木芯面木に打ち込み木芯面木を型枠に取り付ける工法。
【請求項２】
請求項１の工法で型枠に取り付けられた筋入り木芯面木の一端を手で持ち、釘の打ち込み方向と逆の方向に持ち上げることによりその筋入り木芯面木の持つ強力な弾力によって型枠より釘を抜き取るか、負荷の大きい場合は持ち上げることによってできた型枠との間にバールを差し込み上下に動かして筋入り木芯面木を型枠から取り外す工法。
【請求項３】
本体部分となる中空の塩ビ製の中空部分と全く同じ寸法の木製の面木をその中空部分に差し込み、中空部分を隙間なく埋め尽くした形状の面木の釘の打ち込み面となる４５°の角度が付いている面の長手方向の全長に渡って釘先の滑りを止め、釘の斜面への打ち込みを可能にするための筋状の浅い切り込み線が設けられている筋入り木芯面木。
【発明の詳細な説明】
【技術分野】
【０００１】  本発明では道路の路肩や高速道路の側壁などの天端の面取りやビル等の柱や建物のコーナー等の面取りに使う面木において、本体部分を形成する塩ビ製の中空の面木の中空部分と全く同じ寸法の木製の面木をその中空部分に差し込んだ形状の木芯面木の釘の打ち込み面である面づらの長手方向の全長に渡って釘の打ち込みのためのごく浅い切り込み筋を入れることによっていかなる場所への釘の打ち込みをも可能にした。
【背景技術】
【０００２】  従来の技術による面木は木製・中空の塩ビ製・低発泡製の三種類である。
【発明が解決しようとする課題】
【０００３】  従来の技術による面木は以下に述べるような欠点があり資源の無駄遣いとなり、またその仕上がり面も美しくない。中空の塩ビ製のものは、中が中空のためその取り外し時に破損する。低発泡製のものは柔らかすぎてその取り外し時に破損する。木製のものは２、３度は転用することが可能であるが、木のアクが出てコンクリートに付着する場合がある。また繊維質なので乾燥により曲がり・そりおよびひねりが起きる、釘の打ち込み時に割れやすい等の欠点があり、これらを解決すべく木芯面木（特願２０１２−１２７４９１）を考案したが当考案では塩ビの表面にあけられた釘穴に釘を打ち込む方法であり任意の場所に釘を打ち込むことができない。なぜならば釘の打ち込み面が平面の場合は面に対して釘は垂直となるので釘の打ち込みは安易であるが、木芯面木の釘の打ち込み面は４５°の傾斜がついておりしかも塩ビ製であるため表面は非常に滑らかであり、その上硬さがあるので釘先が滑り釘穴以外の場所への釘の打ち込みはできない。
【課題を解決するための手段】
【０００４】  そこで、当考案者は釘の打ち込み面の長手方向の全般に渡って釘先の滑りを止めるためのごく浅い筋状の切り込み線を滑り止めとして入れることを考案し任意の場所への釘の打ち込みを可能にした。
【発明の詳細な説明】
【０００５】  平面に釘を打ち込む場合は釘は平面に対して垂直となるので打ち込み面がかなり硬くても釘の打ち込みは可能であるが木芯面木の打ち込み面は４５°の傾斜がついており、またその表面は滑らかでしかも木材や低発砲材のように柔らかくないので釘先が打ち込み面の表面を滑り釘を打ち込むことができない。そこで釘の打ち込み面の長手方向の全長に渡って浅い筋状の切り込み線を設け、その切り込み線に釘先を引っ掛けることにより釘先の滑りを止め任意の場所への釘の打ち込みを可能にした。
【発明の効果】
【０００６】  従来の製品である中空の塩ビ製の面木の中空部分に木製の面木を差し込むことにより両者を合体させ両者の持つ欠点を消し去りその長所のみを残すことにより、従来の面木より格段にすぐれら性能を持つ木芯面木を作り上げ、しかもそのただ一つの欠点である釘穴の部分にしか釘が打ち込めないという欠点をも釘の打ち込み面の長手方向の全長に渡って浅い筋状の切り込み線を設けその切り込み線に釘先を当て釘先の滑りを止めることにより解消し任意の場所への釘の打ち込みを可能にした。
【発明を実施するための最良の状態】
【０００７】  型枠を組み、その内部の天端となるべき位置に天端墨を打ちその墨に沿って木芯面木を置き、釘先の滑りを止めるためにその釘の打ち込み面の長手方向の全長に渡って入れられているごく浅い筋状の切り込み線に釘先を当て釘を打ち込むことにより型枠に木芯面木を取り付けた後生コンをその取り付けられた木芯面木の上面の少し上まで流し込み、その上面にコテを乗せ、滑らせることにより天端を均し、数日の間生コンの固化を待ち、できあがったコンクリート構造物と型枠との間にバールを差し込み、前後に動かして型枠上に木芯面木が付いた状態で固化したコンクリート構造物より型枠を取り外し、型枠上に残った木芯面木の一端を持ち釘の打ち込み方向と反対の方向に持ち上げることにより型枠より木芯面木を取り外す。
【図面の簡単な説明】
【０００８】
【図１】  ａ  塩ビ製の中空面木を表す  ｂ  木製の面木を表す  ｃ  低発泡製の面木を表す
【図２】  ａ  木芯面木を表す  ｂ  筋入り木芯面木を表す
【図３】  ａ  型枠を組み天端墨に合わせて面木を置きすべり止めの切り込み線に釘先を当てている図  ｂ  金づちで釘を打ち込んでいる図  ｃ  筋入り木芯面木を型枠に取り付けた図
【符号の説明】
【０００９】１      塩ビ製の中空面木
２      木製の面木
３      釘先のすべりを止めるための筋状の浅い切り込み線
４      型枠
５      釘
６      金づち
【図１】
2014066125.tif 000003
【図２】
2014066125.tif 000004
【図３】
2014066125.tif 000005
(57)【要約】【課題】  始業点検時の校正作業のための暖機時間を短縮すること。【解決手段】  ガスセンサを備えた検出部１を間欠的に駆動する間欠駆動型可燃性ガス検出装置において、少なくとも前記検出部１を所定の周期で間欠的に駆動させる第一のモードと、装置が正常に作動するのに必要な状態に暖機できるに足る所定時間連続的に作動させる第二のモードとを切替える切替手段３を備える。【選択図】        図１
2014066530.tif 000002
【特許請求の範囲】
【請求項１】
ガスセンサを備えた検出部を間欠的に電力を供給して駆動する可燃性ガス検出装置において、
少なくとも前記検出部を所定の周期で間欠的に駆動させる第一のモードと、装置が正常に作動するのに必要な状態に暖機できるに足る所定時間連続的に作動させる第二のモードとを切替える切替手段を備えた間欠駆動型可燃性ガス検出装置。
【発明の詳細な説明】
【技術分野】
【０００１】
本発明は、可燃性ガスをセンサ間欠駆動して検出する間欠駆動型可燃性ガス検出装置に関する。
【背景技術】
【０００２】
可搬型ガス検出装置は、ヒータに酸化触媒層を形成した接触燃焼型ガスセンサや、ヒータに非酸化層が形成された熱線からなる熱伝導型ガスセンサが使用され、電源に電池が使用されているため、消費電力を節減するため、特許文献１に見られるように所定の周期で、ガスセンサがガスに感応するに足る一定間通電するという間欠駆動方式が採用されている。
【先行技術文献】
【特許文献】
【０００３】
【特許文献１】特願平８−２８８５９号公報
【発明の概要】
【発明が解決しようとする課題】
【０００４】
一方、装置の完全性を確認するため、始業点検時に校正作業が行われる。校正は装置、とりわけセンサ周囲が定格状態に到達する必要があるが、しかし、間欠駆動であるため、通常３分程度の時間を必要とし、始業時の校正作業にムダ時間が生じるという問題がある。
本発明はこのような問題に鑑みてなされたものであって、その目的とするところは、始業点検時の校正作業に要する時間を短縮できる間欠駆動型可燃性ガス検出装置を提供することである。
【課題を解決するための手段】
【０００５】
このような課題を達成するために本発明においては、ガスセンサを備えた検出部を間欠的に電力を供給して駆動する可燃性ガス検出装置において、少なくとも前記検出部を所定の周期で間欠的に駆動させる第一のモードと、装置が正常に作動するのに必要な状態に暖機できるに足る所定時間連続的に作動させる第二のモードとを切替える切替手段を備える。
【発明の効果】
【０００６】
本発明によれば、始業点検時に連続通電するため、間欠駆動による熱の放散を抑制して暖機時間を短縮できる。
【図面の簡単な説明】
【０００７】
【図１】本発明の可燃性ガス検出装置の一実施例を示す構成図である。
【発明を実施するための形態】
【０００８】
そこで以下に本発明の詳細を図示した実施例に基づいて説明する。
図１は、本発明の可燃性ガス検出装置の一実施例を示すものであって、ガス検出部１は、熱伝導型ガス検知センサもしくは接触燃焼型ガスセンサＳと抵抗Ｒとを直列接続して構成され、その電力供給端子には、電源２となる電池の電力が切替手段３により周期、及びパルス幅が設定されるパルス発生手段４からの電力が供給され、また検出端子には測定手段５が接続されている。
【０００９】
切替手段３は、パルス発生手段４から時間３０秒程度の期間、つまりガスセンサＳ及びその周辺環境がガスを検出するのに適した温度になる程度の時間だけ連続通電する始業点検時の校正作業モードと、間欠駆動して電力の消費を抑えつつガスを検出できる時間間隔、例えば８秒毎に時間幅１秒のパルスを一定の周期で出力させる通常モードとを実現するための電力供給形態をパルス発生手段４に指令するものである。
【００１０】
測定手段５は、データ記憶手段６に格納されている検量線データに基づいて検出部１からの信号をガスの濃度を換算して出力するように構成されている。
【００１１】
この実施例において切替手段３により構成作業モードを選択すると、パルス発生手段４から時間＊＊＊秒程度の期間、つまりガスセンサ、及びその周辺環境がガスを検出するのに適した温度になる程度の時間の連続通電が行われる。
これにより、間欠駆動する場合に比較して早急に暖機が可能となり、この状態で標準ガスを注入して装置の校正を行う。
【００１２】
装置が正常に動作することが確認された場合には、通常モードを選択すると、パルス発生手段４からパルス状の電力がガス検出部１に供給されて電力消費を抑制しつつガスの濃度が測定される。
【００１３】
なお、上述の実施例においては始業点検時の校正を、初期駆動用の長時間パルスによる測定値で行なっているが、長時間パルスによる動作後に通常の間欠駆動による測定値で行なっても同様の効果を奏することは明らかである。
【符号の説明】
【００１４】
１  ガス検出部  ２  電源    ３  切替手段    ４  パルス発生手段    ５  測定手段    ６  データ記憶手段    Ｓ  ガスセンサ    Ｒ  抵抗
【図１】
2014066530.tif 000003
(57)【要約】【課題】  地震計で観測される地震動とそれ以外の振動を識別し、その識別精度の向上を図り得る、地震計のノイズ識別方法を提供する。【解決手段】  地震計のノイズ識別方法において、地表２を伝播する地震以外の振動を検出する地表地震計４と、地中から地表へ伝播する地震動５を検出する地中地震計６とを設置し、前記地表地震計４のみが起動した場合には、前記地震以外の振動と識別し、前記地中地震計６と前記地表地震計４との両方の地震計が起動した場合には、地震動と識別する。【選択図】  図１
2014066571.tif 000002
【特許請求の範囲】
【請求項１】
地表を伝播する地震以外の振動を検出する地表地震計と、地中から地表へ伝播する地震動を検出する地中地震計とを設置し、前記地表地震計のみが起動した場合には、前記地震以外の振動と識別し、前記地中地震計と前記地表地震計との両方の地震計が起動した場合には、地震動と識別することを特徴とする地震計のノイズ識別方法。
【請求項２】
請求項１記載の地震計のノイズ識別方法において、前記地中地震計は前記地震以外の振動に影響を受けない深い位置に設置することを特徴とする地震計のノイズ識別方法。
【請求項３】
請求項１又は２記載の地震計のノイズ識別方法において、前記地震以外の振動は列車又は自動車の振動であることを特徴とする地震計のノイズ識別方法。
【請求項４】
請求項３記載の地震計のノイズ識別方法において、前記地表地震計は鉄道沿線又は道路に沿って多数個配置し、前記地中地震計は前記地表地震計に共通するように前記地表地震計の個数に対して少数個でカバーすることを特徴とする地震計のノイズ識別方法。
【発明の詳細な説明】
【技術分野】
【０００１】
本発明は、地震計のノイズ識別方法に関するものである。
【背景技術】
【０００２】
地震時の早期警報出力のため、鉄道沿線には地震計が設置されている。ただし、線路沿線の地震計は列車振動や道路交通振動、周辺の工事振動などの地震以外の振動がノイズとして混入することから、早期地震諸元推定の誤推定や誤警報の原因となっている。なお、早期地震諸元推定はＰ波初動数秒の微弱な揺れを用いることから、地震以外の振動の影響を極力除く必要がある。
【先行技術文献】
【非特許文献】
【０００３】
【非特許文献１】佐藤  新二，中村  洋光，「早期地震検知手法の汎用的な評価システムの開発」，ＲＴＲＩ  ＲＥＰＯＲＴ  Ｖｏｌ．１９，Ｎｏ．１０，２００５．１０，ｐｐ１７−２０
【発明の概要】
【発明が解決しようとする課題】
【０００４】
上記したように、地震時の運転規制のため、鉄道沿線には地震計が設置されている。この地震計には列車振動や道路交通振動、周辺の工事振動などの地震以外の振動が入力されてしまうので、早期地震諸元推定の誤推定や誤警報を防ぐために地震動とそれ以外の振動を識別する必要がある。
本発明は、上記状況に鑑みて、鉄道沿線に設置される地震計の地震動とそれ以外の振動とを識別し、その識別精度の向上を図り得る、地震計のノイズ識別方法を提供することを目的とする。
【課題を解決するための手段】
【０００５】
本発明は、上記目的を達成するために、
〔１〕地震計のノイズ識別方法において、地表を伝播する地震以外の振動を検出する地表地震計と、地中から地表へ伝播する地震動を検出する地中地震計とを設置し、前記地表地震計のみが起動した場合には、前記地震以外の振動と識別し、前記地中地震計と前記地表地震計との両方の地震計が起動した場合には、地震動と識別することを特徴とする。
【０００６】
〔２〕上記〔１〕記載の地震計のノイズ識別方法において、前記地中地震計は前記地震以外の振動に影響を受けない深い位置に設置することを特徴とする。
〔３〕上記〔１〕又は〔２〕記載の地震計のノイズ識別方法において、前記地震以外の振動は列車又は自動車の振動であることを特徴とする。
〔４〕上記〔３〕記載の地震計のノイズ識別方法において、前記地表地震計は鉄道沿線又は道路に沿って多数個配置し、前記地中地震計は前記地表地震計に共通するように前記地表地震計の個数に対して少数個でカバーすることを特徴とする。
【発明の効果】
【０００７】
本発明によれば、地震動と列車振動や道路交通振動、周辺の工事振動などの地震以外の振動を確実に識別することにより、早期地震諸元推定の誤推定や誤警報を防ぐことができ、安定輸送の向上に寄与することができる。
【図面の簡単な説明】
【０００８】
【図１】本発明の実施例を示す地震計のノイズ識別の模式図である。
【図２】本発明の実施例を示す地表地震計と地中に深く設置される地中地震計との配置例を示す模式図である。
【発明を実施するための形態】
【０００９】
本発明の地震計のノイズ識別方法は、地表を伝播する地震以外の振動を検出する地表地震計と、地中から地表へ伝播する地震動を検出する地中地震計とを設置し、前記地表地震計のみが起動した場合には、地震以外の振動と識別し、前記地中地震計と前記地表地震計との両方の地震計が起動した場合には、地震動と識別する。
【実施例】
【００１０】
以下、本発明の実施の形態について詳細に説明する。
図１は本発明の実施例を示す地震計のノイズ識別の模式図である。
この図において、１は鉄道線路、２は地表、３は地表２を伝播する列車振動、４は地表地震計、５は地中から地表へ伝播する地震動、６は地中地震計、７は地表地震計４と地中地震計６に接続される列車振動３と地震動５の識別を行う処理装置である。地中地震計６は列車振動に影響を受けない深い位置に設置する。
【００１１】
図２は本発明の実施例を示す鉄道沿線に設置される地表地震計と地中に深く設置される地中地震計との配置例を示す模式図である。
この図において、地表地震計４は鉄道線路１の沿線に所定距離毎に配置され、地中に深く設置される地中地震計６は複数個の地表地震計４に共通するように地表地震計４の個数に対して少数個でカバーするようにしてもよい。
【００１２】
なお、上記実施例では、地表地震計で検出する振動は、鉄道沿線の列車振動について述べたが、これに限定するものではなく、道路に沿って配置される地表地震計にも適用される。さらには、地表地震計で検出される地上すれすれを飛ぶ飛行機の振動を検出する場合や、周辺で行われる工事による振動を検出する場合であってもよい。
なお、本発明は上記実施例に限定されるものではなく、本発明の趣旨に基づき種々の変形が可能であり、これらを本発明の範囲から排除するものではない。
【産業上の利用可能性】
【００１３】
本発明の地震計のノイズ識別方法は、地震動とそれ以外の振動とを確実に識別する地震計のノイズ識別方法として利用することができる。
【符号の説明】
【００１４】
１    鉄道線路
２    地表
３    地表を伝播する列車振動
４    地表地震計
５    地中から地表へ伝播する地震動
６    地中地震計
７    処理装置
【図１】
2014066571.tif 000003
【図２】
2014066571.tif 000004
(57)【要約】      （修正有）【課題】火葬時の煙、臭いの発生がなく、煙、臭いの燃焼効率が上がり、ほぼ完全に燃焼させる事ができる火葬炉を提供する。【解決手段】１次、２次バーナーの能力バランスを改善する事により、排気効率の調整を行う。１次バーナーは２機使用し、それぞれの取り付け位置、角度を調整することにより炉内に風の流れを生み出させる。さらに、煙突内部にキャスタブルを設けることにより、煙突内の温度を保たせる。これにより、煙、臭いの燃焼効率が上昇し、ほぼ、完全に燃焼させる事が可能となる。【選択図】なし【特許請求の範囲】
【請求項１】
煙突内部にキャスタブルを設ける。
【請求項２】
バーナーを大きくし、排気効率を調整する。
【発明の詳細な説明】
【技術分野】
【０００１】  火葬炉に関する発明
【背景技術】
【０００２】  火葬時の煙、臭いの発生。
【先行技術文献】
【特許文献】
【０００３】
【特許文献１】特開２００６−３４３０９４号公報
【発明の概要】
【発明が解決しようとする課題】
【０００４】  火葬時の煙、臭いの発生。
【課題を解決するための手段】
【０００５】  煙突内にキャスタブルを設ける。【０００６】  バーナーの取り付け位置の改良、能力の増大。
【発明の効果】
【０００７】  煙、臭いをほぼ完全に燃焼させる。
【発明を実施するための形態】
【０００８】  １次、２次バーナーの能力バランスを改善する事により、排気効率の調整を行う。
１次バーナーは２機使用し、それぞれの取り付け位置、角度を調整することにより炉内に風の流れを生み出させる。さらに、煙突内部にキャスタブルを設けることにより、煙突内の温度を保たせる。これにより、煙、臭いの燃焼効率が上昇し、ほぼ、完全に燃焼させる事が可能となる。
【実施例】
【０００９】  従来の火葬炉では、必ず煙が発生していた大型犬の遺体を火葬したが、煙、臭い等は一切発生せず、これにより本発明の効果が実証された。
【産業上の利用可能性】
【００１０】  煙、臭いを出せない状況下での火葬が可能になる。
(57)【要約】【課題】飲食品や食品のとろみの程度、並びに粥のとろみ度から当該粥の硬さの程度を家庭や調理場で客観的に、かつ簡便に測定し得るとろみ測定用装置を提供する。【解決手段】測定部Aと、それを回転するモーター部B、モーターの消費電力量を測定するC部よりなる装置とする。【選択図】図１
2014066554.tif 000002
【特許請求の範囲】
【請求項１】
液体、又は固体を含む液体の抵抗値を図る為に、モーターと消費電力測定部と、計算部からなり、消費電力測定により、その液体の特性をはかる装置。
【発明の詳細な説明】
【技術分野】
【０００１】
本発明は、とろみ測定機に係り、詳しくはとろみをつけた飲食品や食品のトロミの程度、並びに粥のとろみ度から当該粥の硬さの程度を家庭や調理場で客観的に、かつ簡便に測定し得るとろみ測定用器具に関する。
【背景技術】
【０００２】
従来、特別養護老人ホームや病院等において、入所者や患者の中で摂食機能の低下した人々（特に高齢者）を対象にとろみをつけた飲料や食品、並びに粥等が多く供されている。とろみの程度や粥の軟らかさの程度は、入所者や患者の咀嚼・嚥下機能の能力によって異なり、能力の高い人はとろみが少ない（粘度が低い）飲料や食品、並びに粥は硬めであっても摂食可能であるが、一方能力の低い人はその逆とする必要がある。そして、とろみの程度の調節や粥の硬さの調節は、ほとんどの場合、官能評価に頼っており、客観的な表現として、ポタージュ状、ヨーグルト状等、食材を比喩として取り上げているが、熟練した技術を必要としているのが現状である。
【発明の概要】
【発明が解決しようとする課題】
【０００３】
従来よりある粘度計では、個体と液体が混ざり合ったものなど、その物性によっては、とろみ度と粘度が一致しない等の現象がみうけられる。そのため、とろみ度を数値としての認識することに困難な状況にある。
【課題を解決するための手段】
【０００４】
モーターに測定子となるものを取り付け、それをとろみのあるもの中で回転をさせ、モーターにかかる電力を測定し、その値をもってとろみ度とする。人が手で混ぜる時に感じる抵抗感を数値化するものである。
【発明の効果】
【０００５】
モーターの消費電力≒モーターにかかる負荷となるので、本発明装置は人が手で混ぜる時の抵抗感を数値化することができるようになる。
【図面の簡単な説明】
【０００６】
【図１】本発明トロミ測定装置は、単にモーターと電源の組み合わせによるものではなく、その消費電力を測定する電力測定部Aと、その平均値、最大値、最小値を測定でき、その値を表示する部分とから成り立つことを特徴とする。
【発明を実施するための形態】
【０００７】
測定対象物に測定子を入れ、回転をさせる。量による影響も加味し、最も特徴の出やすい量を使用する。
【実施例】
【０００８】
嚥下困難者の方などに与えるものにとろみをつける場合に、とろみ剤の量を調整し、基準がそれと類似した食品と同等のとろみ度合い化を測定し、適正なとろみのついた食品として与える。
【産業上の利用可能性】
【０００９】
嚥下困難者に対するとろみ食品の供給時の基準に用いるほか、嚥下補助食品の製造過程において、その度合いを検査する時等に使用する。
【図１】
2014066554.tif 000003